(57)【要約】【課題】板塀を設置する現場での作業をできるだけ軽減し、設置手順も簡単で、且つ作業員が単独でも板塀を組み立てることができる板塀用パネルを提供する。【解決手段】板塀用パネル１は、四角筒形状を有して上下方向に伸長する補強材２と、補強材２の一面に直交する方向で予めビス３ａを用いて取り付けられ、且つ上下方向に互いに所定間隔を有して並設される複数枚の板材３と、を備える。この板塀用パネル１を用いることで、板塀を設置する現場での作業をできるだけ軽減し、設置手順も簡単で、且つ作業員が単独で板塀を組み立てることができる。【選択図】図５
0003233487.tif 000002
【実用新案登録請求の範囲】
【請求項１】
板塀に用いる板塀用パネルであって、
四角筒形状を有して上下方向に伸長する補強材と、
前記補強材の一面に直交する方向で予めビスを用いて取り付けられ、且つ上下方向に互いに所定間隔を有して並設される複数枚の板材と、を備える、ことを特徴とする板塀用パネル。
【請求項２】
前記補強材の下端は、最も下側に取り付けられた前記板材の底辺と同じ高さとなり、
前記補強材の上端は、最も上側に取り付けらえた前記板材の上辺より上方に突出する、ことを特徴とする請求項１記載の板塀用パネル。
【請求項３】
前記板塀用パネルは、さらに、上下方向に沿って前記補強材を連結するため、前記補強材の開口に着脱可能に挿入されるジョイント部材を有し、
当該ジョイント部材は、前記補強材の開口に嵌合する大きさを有した四角筒形状の本体部と、前記本体部の側面に沿って形成されて前記補強材の水平断面と略同一形状を有する凸部と、を備える、ことを特徴とする請求項１又は２記載の板塀用パネル。
【請求項４】
前記板塀用パネルは、さらに、
前記補強材の下端が載置可能な載置面を有して、地面から立設される支柱を備える、ことを特徴とする請求項１乃至３の何れか一項に記載の板塀用パネル。
【請求項５】
前記板塀用パネルは、さらに、
前記支柱に固定する際に、前記ビスを取り外した箇所に挿し込まれ且つ当該ビスよりサイズの長い支柱固定用ビスを備える、ことを特徴とする請求項４記載の板塀用パネル。
【請求項６】
前記載置面は、前記支柱に形成される段差部、又は前記支柱に取り付けられた専用金具である、ことを特徴とする請求項４記載の板塀用パネル。
【考案の詳細な説明】
【技術分野】
【０００１】
本考案は、一般住宅などの板塀を組み立てる際に用いる板塀用パネルに関する。
【背景技術】
【０００２】
従来より、家や敷地などにおいて、区画、目隠しや侵入防止などの目的で塀が設けられており、ブロック塀や、木材を用いた板塀、レンガを用いたレンガ塀などが広く一般的に用いられている。ブロック塀は、重量感があるが殺風景となり、また、地震などの際に倒壊する虞がある。木材による板塀は、木目に味が出たり風合いを感じやすい外観となる一方、耐久性が弱く、腐朽、害虫被害や日焼けなどの問題がある。
【０００３】
近年においては、例えば、ポリエチレン樹脂に木粉を混合して表面を高密度ポリエチレン樹脂でコーティングした複層合成木材とすることで、天然木のような風合いと共に、高耐候性及び高強度を実現した板塀用材が販売されている（例えば、非特許文献１参照）。  
【０００４】
また、樹脂素材の欠点である気温による伸縮や経年劣化を緩和する目的で、芯材として充分な強度を有する金属材（例えばアルミ材）を用いて、気温によって伸縮することを防止した板塀用材も販売されている（例えば、非特許文献１参照）。さらに、災害に強く、設置時に高度な技術を必要としない化粧板をコンクリートで結合させた板塀も開示されている（例えば、特許文献１参照）。
【先行技術文献】
【特許文献】
【０００５】
【特許文献１】特開2005-256373号公報
【非特許文献】
【０００６】
【非特許文献１】“PLAD（登録商標）（グローベン株式会社）”[令和３年４月２２日検索]、インターネット＜ＵＲＬ：http://www.globen.co.jp/product/garden/plad.html＞
【考案の概要】
【考案が解決しようとする課題】
【０００７】
しかしながら、上述のような板塀用材を用いて板塀を設置する際には、一枚一枚の板塀用材を、対応する支柱の位置にあてがいつつビス固定したり、キャップなどの多くの部品を取り付ける必要があり、現場で相当の作業数、複数の作業員を要する。また、例えば板塀用材に支柱などへの固定用のビスを挿すには、専用の穴開け治具を用いて、正確な位置にビスを打ち込む作業が必要となり、作業が煩雑である。
【０００８】
さらに、実際の作業現場においては、ビス用穴を開けた後には大量のゴミが発生して、このゴミが散らばることも問題視されている。
【０００９】
本考案は、上記課題に鑑みてなされたものであり、板塀を設置する現場での作業をできるだけ軽減し、設置手順も簡単で、且つ作業員が単独でも板塀を組み立てることができる板塀用パネルを提供することを目的とする。
【課題を解決するための手段】
【００１０】
上記目的を達成するために本考案は、板塀に用いる板塀用パネルであって、四角筒形状を有して上下方向に伸長する補強材と、前記補強材の一面に直交する方向で予めビスを用いて取り付けられ、且つ上下方向に互いに所定間隔を有して並設される複数枚の板材と、を備えることを特徴とするものである。
【００１１】
この板塀用パネルにおいて、前記補強材の下端は、最も下側に取り付けられた前記板材の底辺と同じ高さとなり、前記補強材の上端は、最も上側に取り付けらえた前記板材の上辺より上方に突出することが好ましい。
【００１２】
この板塀用パネルにおいて、前記板塀用パネルは、さらに、上下方向に沿って前記補強材を連結するため、前記補強材の開口に着脱可能に挿入されるジョイント部材を有し、当該ジョイント部材は、前記補強材の開口に嵌合する大きさを有した四角筒形状の本体部と、前記本体部の側面に沿って形成されて前記補強材の水平断面と略同一形状を有する凸部と、を備えることが好ましい。
【００１３】
この板塀用パネルにおいて、前記板塀用パネルは、さらに、前記補強材の下端が載置可能な載置面を有して、地面から立設される支柱を備えることが好ましい。
【００１４】
この板塀用パネルにおいて、前記板塀用パネルは、さらに、前記支柱に固定する際に、前記ビスを取り外した箇所に挿し込まれ且つ当該ビスよりサイズの長い支柱固定用ビスを備えることが好ましい。
【００１５】
この板塀用パネルにおいて、前記載置面は、前記支柱に形成される段差部、又は前記支柱に取り付けられた専用金具であることが好ましい。
【考案の効果】
【００１６】
本考案に係る板塀用パネルは、四角筒形状を有して上下方向に伸長する補強材と、補強材の一面に直交する方向で予めビスを用いて取り付けられ、且つ上下方向に互いに所定間隔を有して並設される複数枚の板材と、を備える。この構成により、本考案の板塀用パネルは、板塀を設置する現場での作業をできるだけ軽減し、設置手順も簡単で、且つ作業員が単独でも板塀を組み立てることができる。
【図面の簡単な説明】
【００１７】
【図１】（ａ）本考案の実施の形態に係る板塀用パネルの平面図、（ｂ）同上板塀用パネルの背面図、（ｃ）同上板塀用パネルの左側面図、（ｄ）同上板塀用パネルの正面図である。
【図２】同上板塀用パネルの斜視図である。
【図３】（ａ）同上板塀用パネルに備わるジョイント部材の正面図、（ｂ）同上ジョイント部材の斜視図、（ｃ）同上ジョイント部材の平面図である。
【図４】（ａ）同上板塀用パネルの支柱への設置工程を説明するための平面図、（ｂ）同上板塀用パネルの支柱への設置工程を説明するための正面図である。
【図５】同上板塀用パネルの支柱への設置工程を説明するための斜視図である。
【図６】（ａ）同上板塀用パネルの支柱への設置工程を説明するための側面図、（ｂ）及び（ｃ）同上板塀用パネルの支柱への設置工程を説明するための一部透過側面図である。
【図７】同上ジョイント部材の使用方法を説明するための図である。
【図８】同上板塀用パネルの支柱への設置工程を説明するための正面図である。
【図９】（ａ）及び（ｂ）同上板塀用パネルに備わるスペーサ及び連結カバー用板材の設置工程を説明するための図である。
【図１０】同上板塀用パネルの設置完了後の正面図である。
【図１１】同上板塀用パネルの設置完了後の斜視図である。
【考案を実施するための形態】
【００１８】
（実施の形態）
本考案の実施の形態に係る板塀用パネルについて図面を参照して説明する。最初に、本実施の形態に係る板塀用パネルの構造に関して図１乃至図３を参照しながら説明する。この板塀用パネル１は、地面などから立設された支柱前面に固定されることで、連続する板塀（板フェンス）となる。なお、板塀は、家や敷地などにおいて、他との境界に設置する囲いであって、区画、目隠し、侵入防止の目的で設けられる。
【００１９】
板塀用パネル１は、図１及び図２に示すように、補強材２及び複数枚の板材３を備える。補強材２は、四角筒形状（多角筒形状であれば良い）を有して上下方向に伸長しており、例えばアルミニウムなどの金属材で構成される。
【００２０】
板材３は、補強材２の一面に直交する方向に沿って予めビス３ａ（小ネジ）などを用いて取り付けられ、且つ上下方向に互いに所定間隔を有して並設される。本実施の形態においては、板材３の長手方向略中央部に、補強材２の一面がビスを用いて取り付けられる。図１においては、板材３は例えばＨ１５０ｍｍ，Ｗ１９９０ｍｍ、Ｄ１３ｍｍ程度の大きさを有し、互いに１０ｍｍの隙間間隔を有して複数枚が並設されている。
【００２１】
板塀用パネル１の補強材２の下端は、最も下側に取り付けられた板材３の底辺と同じ高さとなり、一方、補強材２の上端は、最も上側に取り付けらえた板材３の上辺より上方に突出（本実施の形態では１０ｍｍ上方に突出）する。
【００２２】
板材３は、表面材としてポリエチレン樹脂に木粉を混合したものを使用し、天然木目フェンスのような外観を実現する。板材３に芯材を使用しない場合には、伸縮を考慮して板材３の突合せ部分に隙間を開けて連結カバー用板材で隠すなどの処置が必要となる。なお、板材３の芯材には充分な強度を有したアルミ材（金属材）を採用し、樹脂素材の欠点である気温による伸縮や経年劣化を緩和しても良い。また、板材３の内部に長手方向に沿った芯材を内部に有することで、強度が増すだけではなく、気温による伸縮がほとんどなくなり、長期間に亘って素材の安定性を保持できる。
【００２３】
板塀用パネル１のサイズは、様々に調整が可能であり、板材３が５枚仕様の場合には例えばＷ１９９０ｍｍ、Ｈ８００ｍｍ、Ｄ１３ｍｍ、板材３が３枚仕様の場合には例えばＷ１９９０ｍｍ  Ｈ４８０ｍｍ、Ｄ１３ｍｍである。例えば、３枚仕様の板塀用パネル１を上下３段に連結することでＨ１４４０ｍｍの板塀を施工できる。また、Ｈ８００ｍｍを１段とＨ４８０ｍｍを２段で１７６０ｍｍ、Ｈ８００ｍｍを１段とＨ４８０ｍｍを２段でＨ２２４０ｍｍと、Ｈ２２００ｍｍ程度、Ｈ１８００ｍｍ程度やＨ１５００ｍｍ程度が板塀用パネル１の組み合わせを変えるだけで設置可能となる。
【００２４】
板塀用パネル１は、図３に示すように、施工作業を容易化するための付属品として、上下方向に沿って補強材２を連結するため、補強材２の開口２ａに着脱可能に挿入されるジョイント部材４を有する。このジョイント部材４は、補強材２の開口２ａに嵌合する大きさを有した四角筒形状の本体部４ａと、本体部４ａの側面に沿って形成されて補強材２の水平断面と略同一形状を有する凸部４ｂと、を備える。本実施の形態において、凸部４ｂは、本体部４ａ高さ方向中央部に形成されて、補強材２の開口２ａの上縁部において係止される。
【００２５】
次に、板塀用パネル１の設置工程に関して図４乃至図１１を参照しながら説明する。ここでは、板材３が５枚仕様の板塀用パネル１を１セット、板材３が３枚仕様の板塀用パネル１を２セット上下方向に連結して、これらを左右方向に２セット連結することで、Ｈ１７６０ｍｍ、W４０００ｍｍの板塀を設置する工程に関して説明する。
【００２６】
最初に、図４及び図５に示すように、所定間隔（本図では約１０００ｍｍ間隔）で地面ＧＬより立設されている支柱５に対して、下側の板塀用パネル１を取り付ける作業を行う。ここでは図４（ａ）に示すように、支柱５は２種類が交互に設置され、支柱５Ａは６０ｍｍ角スチール柱である。一方、支柱５Ｂは、根元にある６０ｍｍ角スチール柱の途中から６０ｍｍ×３０ｍｍのスチール柱のみが上方に伸長することで、補強材２の下端が載置可能な載置面５１が形成される。
【００２７】
実際の作業においては、図６に示すように、支柱５Ｂは段差部５２を有して、板材３が５枚仕様の板塀用パネル１を構成する補強材２の下端が、この段差部５２に形成された載置面５１に載置される。そして、作業者は、図６（ｂ）及び（ｃ）に示すように、板塀用パネル１を支柱５Ｂの載置面５１に載置した状態において、板塀用パネル１に予め取り付けられたビス３ａを２本程度を取り外して、代わりに、よりサイズの長い支柱固定用ビス５３を、このビス３ａを取り外した箇所に挿し込む。このことで、板塀用パネル１を支柱５Ａに確実に固定する。例えば、予め取り付けられている通常のビス３ａは、頭部１０ｍｍ（ネジ部４×１９ｍｍ）であり、支柱固定用ビス５３の頭部は１２．２ｍｍ（ネジ部５×５０ｍｍ）である。通常この支柱固定用ビス５３は一の板塀用パネル１に対して２本固定することで、板塀用パネル１を支柱５Ｂに強固に固定できる。また、板塀用パネル１を支柱５Ｂに固定する支柱固定用ビス５３はビス３ａより少し頭部が大きい方が好ましい。
【００２８】
次に、上側となる板材３が３枚仕様の板塀用パネル１を下側の板塀用パネル１の上側に連結するが、この際、図７に示すように、下側の板塀用パネル１を構成する補強材２の開口２ａにジョイント部材４を挿入する。ここで、ジョイント部材４は、例えば補強材２の３０×６０ｍｍの内径にフィットするサイズの大きさのものを使用し、ゴムハンマーなどで叩いて嵌合させる。
【００２９】
具体的には、図７に示すように、ジョイント部材４の本体部４ａの一方側は開口２ａに嵌合され、凸部４ｂは補強材２の開口２ａの上縁部に係止される。そして、上側の板塀用パネル１の補強材２の下側開口を、ジョイント部材４の本体部４ａの他方側に嵌合する。これによって、上側の板塀用パネル１が仮固定されて落下することがなくなる。そして、図８に示すように、上記図６と同様に、上側の板塀用パネル１のビス３ａから２本程度を抜いて、代わりに、より長い支柱固定用ビス５３を２本程度挿し込むことで、上側の板塀用パネル１を支柱５Ｂに確実に固定できる。なお、本実施の形態においては、同じ作業により板材３が３枚仕様の板塀用パネル１をもう一段上側に連結する。
【００３０】
次に、図９に示すように、板塀用パネル１の間に立設されている支柱５Ａに対して連結カバー用板材６をビス固定する。なお、本実施の形態においては、図９に示すように、左右方向に隣接する板塀用パネル１間には１０ｍｍ程度の隙間を設ける。これは、板材３の気温による伸縮を考慮しているためであり、板材３の突合せ部分に隙間を開けて連結カバー用板材６で隠す処置が必要となる。
【００３１】
図９は、連結カバー用板材６を取り付ける手順を示し、図９（ａ）に示すように、最初に板材３間の上下方向での所定の隙間間隔（本図では１０ｍｍ）を保つべく、１０ｍｍ間隔となるスペーサ７を板材３間に挿入する。なお、スペーサ７は直方体形状の部材であって、連結カバー用ビス６ａの取り付け時に板材３間の隙間の位置出しに使用される。次に、図９（ｂ）に示すように、表面側に連結カバー用板材６をあてがい、スペーサ７に相当する位置に連結カバー用ビス６ａを打ち込むことで、連結カバー用板材６をスペーサ７を介して支柱５Ａに確実に固定できる。
【００３２】
そして、最後に、６０ｍｍ角キャップを６０ｍｍ×６０ｍｍの支柱５Ａと、３０ｍｍ×６０ｍｍの補強材２及び３０ｍｍ×６０ｍｍの支柱５Ｂとの天面に嵌め合わせて作業が完成する。このように、板塀用パネル１の板材３に予め取付られたビス３ａを、よりサイズの長い支柱固定用ビス５３に代えて支柱５Ｂに打ち込むことで、非常に簡単に板塀用パネル１を設置できる。実際に行った設置工程では、作業を単独で行った場合でも約１５〜２０分で設置完了した。
【００３３】
以上のように、本実施の形態に係る板塀用パネル１は、四角筒形状を有して上下方向に伸長する補強材２と、補強材２の一面に直交する方向で予めビス３ａを用いて取り付けられ、且つ上下方向に互いに所定間隔を有して並設される複数枚の板材３と、を備える。また、板塀用パネル１は、さらに、支柱５Ｂに固定する際に、ビス３ａを取り外した箇所に挿し込まれ且つビス３ａよりサイズの長い支柱固定用ビス５３を備える。この板塀用パネル１を用いることで、板塀を設置する現場での作業をできるだけ軽減し、設置手順も簡単で、且つ作業員が単独で板塀を組み立てることができる。
【００３４】
すなわち、板塀用パネル１の補強材２の下端を支柱Ｂの載置面５１に載置し、その後に、予め取り付けられたビス３ａを２本程度取り外し、この取り外した箇所に支柱固定用ビス５３を挿し込むだけで固定できるので、施工が非常に簡単となる。また、作業が非常に楽にもかかわらず、完成時の外観が、従来１枚１枚を支柱に取り付ける場合と同じとなる。さらに、連結カバー用板材６を取り付ける際においてスペーサ７が柔らかく作業性が良い。
【００３５】
なお、本考案は、上記実施の形態の構成に限られず、考案の趣旨を変更しない範囲で種々の変形が可能である。例えば、板塀用パネル１の補強材２の下端を載置する面は、支柱に取り付けられた専用金具（例えばＺ金具）であっても良い。この専用金具は、支柱の色と合わせて例えばブロンズ色として、専用金具を支柱に固定するためのビスもブロンズ色とすることで、外観の美しい仕上がりに専用金具が邪魔をすることが無くなる。さらに、板塀用パネル１のサイズは上記に限定されるものではなく、ユーザ用途に応じて適宜調整可能であることは言うまでもない。
【符号の説明】
【００３６】
１  板塀用パネル
２  補強材
２ａ  開口
３  板材
３ａ  ビス
４  ジョイント部材
４ａ  本体部
４ｂ  凸部
５Ａ  支柱
５Ｂ  支柱
５１  載置面
５２  段差部
５３  支柱固定用ビス
６  連結カバー用板材
６ａ  連結カバー用ビス
７  スペーサ
【図１】
0003233487.tif 000003
【図２】
0003233487.tif 000004
【図３】
0003233487.tif 000005
【図４】
0003233487.tif 000006
【図５】
0003233487.tif 000007
【図６】
0003233487.tif 000008
【図７】
0003233487.tif 000009
【図８】
0003233487.tif 000010
【図９】
0003233487.tif 000011
【図１０】
0003233487.tif 000012
【図１１】
0003233487.tif 000013